(57)【要約】  【課題】電動送風機による吸込力の低下を抑制できる電気掃除機を提供する。  【解決手段】メイン風路W1とサブ風路とのいずれか一方を選択的に切り換え可能な風路切換手段71を設ける。通常の掃除の際には、メイン風路W1を選択してメイン集塵室35で集塵し、メイン集塵室35に塵埃が溜まった際には、風路切換手段71によりサブ風路に切り換えてメイン集塵室35で集塵した塵埃をサブ集塵室36に移動できるため、メイン集塵室35に塵埃が溜まることでの電動送風機７による吸込力の低下を抑制できる。  【選択図】図１
2005131135.tif 000002
【特許請求の範囲】
【請求項１】
電動送風機を収容し、この電動送風機の吸込側に連通する本体吸込口を備えた掃除機本体と、
前記本体吸込口および前記電動送風機の吸込側に連通する主風路と、
この主風路の一部を形成し、前記電動送風機の駆動により塵埃とともに吸い込まれた空気から分離された塵埃を集塵する主集塵部と、
少なくともこの主集塵部および前記電動送風機の吸込側に連通し前記主風路と異なる補助風路と、
この補助風路の一部を形成し、前記主集塵部に集塵された塵埃の少なくとも一部を収容可能な補助集塵部と、
前記主風路と前記補助風路とのいずれか一方を選択的に切り換え可能な風路切換手段と
を具備したことを特徴とした電気掃除機。
【請求項２】
主集塵部は、塵埃の少なくとも一部を捕集するフィルタを備え、
電動送風機の駆動により本体吸込口から吸い込まれた空気を絞って前記フィルタで捕集した塵埃を吹き飛ばす風路絞り機構を具備した
ことを特徴とした請求項１記載の電気掃除機。
【請求項３】
風路絞り機構は、風路切換手段による主風路と補助風路との切り換えに連動する
ことを特徴とした請求項２記載の電気掃除機。
【発明の詳細な説明】
【技術分野】
【０００１】
本発明は、電動送風機の駆動により塵埃とともに吸い込まれた空気から分離された塵埃を集塵する主集塵部を備えた電気掃除機に関する。
【背景技術】
【０００２】
従来、この種の電気掃除機は、電動送風機を収容した掃除機本体を備えている。この掃除機本体内には、電動送風機の吸込側に連通する複数のフィルタが設けられている。また、掃除機本体内には、フィルタを選択的に切り換え可能にするフィルタ切換手段が設けられている。そして、複数のフィルタを選択的に使用することで、フィルタの目詰まりを防止する（例えば、特許文献１参照。）。
【特許文献１】特許第３０８５８２７号公報（第２−３頁、図１）
【発明の開示】
【発明が解決しようとする課題】
【０００３】
しかしながら、上述の電気掃除機では、各フィルタがそれぞれ目詰まりすると、電動送風機による吸込力が低下するという問題点を有している。
【０００４】
本発明は、このような点に鑑みなされたもので、電動送風機による吸込力の低下を抑制できる電気掃除機を提供することを目的とする。
【課題を解決するための手段】
【０００５】
本発明は、本体吸込口および電動送風機の吸込側に連通する主風路と、この主風路の一部を形成し、電動送風機の駆動により塵埃とともに吸い込まれた空気から分離された塵埃を集塵する主集塵部と、少なくともこの主集塵部および電動送風機の吸込側に連通し主風路と異なる補助風路と、この補助風路の一部を形成し、主集塵部に集塵された塵埃の少なくとも一部を収容可能な補助集塵部と、主風路と補助風路とのいずれか一方を選択的に切り換え可能にする風路切換手段とを具備したものである。そして、本体吸込口および電動送風機の吸込側に連通する主風路と、少なくとも主集塵部および電動送風機の吸込側に連通し主風路と異なる補助風路とを、風路切換手段で選択的に切り換えることにより、通常の掃除の際には、主風路の一部を形成する主集塵部で集塵し、この主集塵部に塵埃が溜まった際には、風路切換手段により補助風路に切り換えて主集塵部に収容された塵埃の少なくとも一部を補助集塵部に移動させることも可能になり、主集塵部に塵埃が溜まることでの電動送風機による吸込力の低下を防止する。
【発明の効果】
【０００６】
本発明によれば、主風路と補助風路とを風路切換手段で選択的に切り換えることにより、通常の掃除の際には、主集塵部で集塵し、この主集塵部に塵埃が溜まった際には、風路切換手段により補助風路に切り換えて主集塵部に収容された塵埃の少なくとも一部を補助集塵部に移動させることができ、主集塵部に塵埃が溜まることでの電動送風機による吸込力の低下を防止できる。
【発明を実施するための最良の形態】
【０００７】
以下、本発明の一実施の形態の電気掃除機の構成を図１ないし図６を参照して説明する。
【０００８】
図４ないし図６において、１は掃除機本体で、この掃除機本体１は、吸い込んだ吸込風を旋回させて塵埃を遠心分離にて集塵する、いわゆるサイクロン方式の電気掃除機である。また、この掃除機本体１は、下ケース２、この下ケース２の上側に取り付けられた図示しない中ケース、この中ケースの後部を閉塞して下ケース２および中ケースに取り付けられた上ケース４、および、中ケースの前側上部を開閉可能に覆う蓋体５を備えた本体ケース６を有している。さらに、本体ケース６の中ケースと上ケース４との間には、電動送風機７が収容されている。
【０００９】
そして、下ケース２の前側には、底部に旋回輪11が旋回可能かつ回転可能に取り付けられた有底円筒状の空間であるカップ保持部12が設けられている。このカップ保持部12の上側は、蓋体５により覆われる。また、下ケース２の後側の両側には、本体ケース６の進行方向前側および後側に沿って回転可能な一対の走行輪13がそれぞれ取り付けられている。この結果、掃除機本体１が被掃除面としての床面上を走行可能となっている。
【００１０】
さらに、蓋体５の前側には、前方に向けて開口した本体吸込口14が設けられている。この本体吸込口14には、可撓性を有するホース体15の基端が連通されて着脱可能に接続されている。このホース体15の先端には、電動送風機７の動作モードなどが選択可能な手元操作部16が設けられている。この手元操作部16には、掃除機本体１内の電動送風機７などの駆動状態を所定の状態に設定する複数の設定ボタン17が設けられているとともに、掃除する際に操作者が把持する把持部18が基端側に突設されている。また、この手元操作部16の先端には、伸縮可能な細長略円筒状の延長管21が着脱可能に連通接続されている。さらに、この延長管21の先端には、例えば室内の床面の絨毯などの上に設置させて、この絨毯上の塵埃を吸い込む吸込口体としての床ブラシ22が着脱可能に連通接続されている。
【００１１】
また、下ケース２と上ケース４との間は、中ケースにより区画された図示しないコードリール室内に、コードリール24が収容されている。このコードリール24には、電動送風機７を駆動させる電源を外部から供給させる図示しない電源コードが巻回されている。この電源コードは、下ケース２の後部に設けられた図示しないコード口から本体ケース６の外部へと引き出し可能に導出されている。さらに、この電源コードの先端には、壁面などに設けられた図示しないコンセントに取り外し可能に差し込まれる図示しないプラグ部が設けられている。
【００１２】
そして、カップ保持部12には、塵埃分離部としての機能を備え、かつ集塵装置である集塵カップ33が設けられている。この集塵カップ33は、この集塵カップ33をカップ保持部12に取り付けた状態で吸込側が本体吸込口14に連通する連通筒部34、この連通筒部34の下流側に連通する主集塵部としてのメイン集塵室35、このメイン集塵室35の両側部にそれぞれ設けられた補助集塵部としてのサブ集塵室36、および、集塵カップ33を操作者が把持可能にするハンドル部37を備えている。
【００１３】
連通筒部34は、図１、図２、図４および図５にそれぞれ示すように、パイプ状に設けられ、メイン集塵室35の上部に位置し、前後方向に沿って水平に突出している。
【００１４】
メイン集塵室35は、電動送風機７の駆動により塵埃とともに吸い込まれた空気から集塵カップ33内で分離された塵埃を集塵するものであり、通常の掃除に使用される。このメイン集塵室35は、連通筒部34の排気側である後部に上下方向に長手状に設けられ、連通筒部34に対して下方向に向けて略垂直に位置している。また、このメイン集塵室35は、後方に向けて下方に傾斜した集塵カップ33の後部壁41により、下部に向けて拡開された空間となっている。さらに、後部壁41には、角穴状の後部連通孔42が穿設されている。そして、この後部連通孔42により、メイン集塵室35は電動送風機７の吸込側に連通している。
【００１５】
さらに、後部連通孔42には、メッシュ状のフィルタとしてのメインフィルタ43が設けられている。このメインフィルタ43は、メイン集塵室35から電動送風機７の吸込側へと通過する吸込風から、メイン集塵室35で集塵できなかった微細な塵埃すなわち細塵を捕集するもので、格子リブ状に形成されたフィルタ取付体44に取り付けられ、このフィルタ取付体44により、後部連通孔42全体を閉塞するようにこの後部連通孔42に対して着脱可能に設けられている。また、このメインフィルタ43は、上端部が連通筒部34の下端部よりも下側に位置している。
【００１６】
また、このメイン集塵室35内の上部である連通筒部34の後方には、風路絞り機構としての絞り弁45が設けられている。この絞り弁45は、上側に凸弧状に湾曲された半円筒状に形成され、上下方向に沿って回動可能に設けられている。また、この絞り弁45は、連通筒部34の上下方向の中心域に下端部が位置している。そして、この絞り弁45は、通常状態で連通筒部34と略同軸状に位置し、下方向に回動した状態で連通筒部34からメイン集塵室35へと通過する空気を絞り、メインフィルタ43に吹き付けてこのメインフィルタ43で捕集した塵埃を吹き飛ばすものである。
【００１７】
さらに、メイン集塵室35とサブ集塵室36とを区画する各集塵室隔壁47には、丸孔状の側部連通孔48がそれぞれ穿設されている。これら側部連通孔48は、連通筒部34の下端部よりも若干下側に位置している。そして、これら側部連通孔48により、メイン集塵室35とサブ集塵室36とが連通している。
【００１８】
サブ集塵室36は、適時のみ使用されるものであり、メイン集塵室35の両側部に位置している。また、これらサブ集塵室36の下部には、図３に示すように、後部壁41を貫通して角穴状のサブ連通孔51が設けられている。このサブ連通孔51により、サブ集塵室36は電動送風機７の吸込側に連通している。さらに、このサブ連通孔51には、メッシュ状のサブフィルタ52が設けられている。
【００１９】
そして、集塵カップ33の下部には、図１、図２、図４および図５にそれぞれ示すように、メイン集塵室35とサブ集塵室36との各下端部を同時に開閉可能にする下蓋部53が設けられている。この下蓋部53は、集塵カップ33に対して前後方向に回動可能に設けられている。
【００２０】
ハンドル部37は、集塵カップ33をカップ保持部12に取り付けた状態で本体吸込口14の下方に位置している。また、このハンドル部37には、下蓋部53を開閉させる図示しない操作ボタンが設けられている。
【００２１】
そして、集塵カップ33の後部壁41の後方には、嵌合壁部55が後方に向けて突設されている。この嵌合壁部55は、後部連通孔42の周囲を囲んで四角枠状に設けられ、上側が集塵カップ33に対して後方に向けて上方向に傾斜状に突出し、下側が水平に突出している。また、この嵌合壁部55内には、集塵カップ33をカップ保持部12に取り付けた状態でフィルタ部58が嵌合している。
【００２２】
このフィルタ部58は、プリーツフィルタ61を取付枠体62に取り付けて設けられている。プリーツフィルタ61は、メインフィルタ43を通過した吸込風に含まれる細塵を捕集するもので、掃除機本体１の上下方向に沿って長手状に設けられ、掃除機本体１の幅方向に沿って、掃除機本体１の前後方向に交互に湾曲した、いわゆるプリーツ状に設けられている。また、取付枠体62は、略四角枠状に設けられ、プリーツフィルタ61を着脱可能に内部に保持している。
【００２３】
そして、このフィルタ部58は、掃除機本体１内に設けられた隔壁65と集塵カップ33との間に位置して掃除機本体１内に配設されている。
【００２４】
隔壁65は、電動送風機７の前方に位置し、この電動送風機７を収容する電動送風機室66と、カップ保持部12とを区画するものである。この隔壁65には、カップ保持部12と電動送風機室66とを連通する複数の通気孔67が格子状に穿設され、これら通気孔67全体でフィルタ部58全体に臨む略円形状に形成されている。また、この隔壁65の前部には、通気孔67の周囲を囲む略円形状の前部突出部68が突設されている。この前部突出部68は、フィルタ部58の取付枠体62の後部に先端部である前端部が気密に当接している。
【００２５】
さらに、この隔壁65の後部には、通気孔67の周囲を囲む略円形状の後部突出部69が突設されている。この後部突出部69の先端部である後端部は、電動送風機７の前部に位置した風路切換手段71の前部に気密に当接している。
【００２６】
風路切換手段71は、後部突出部69の前部が当接する前部風路ケース72、この前部風路ケース72の後部に取り付けられ内部に風路73を構成する後部風路ケース74、風路73内に収容される切換手段としての風路切換弁75、および、この風路切換弁75に連結される回動手段としてのモータ76をそれぞれ備えている。
【００２７】
前部風路ケース72は、正面視円形状の風路ケース本体部81を有し、この風路ケース本体部81の上部に、上方向に向けて幅狭となる軸支収容部82が一体に設けられている。また、風路ケース本体部81の下部には、一対のダクト部83が一体に設けられている。そして、この前部風路ケース72は、周縁部が後部に向けて突出し、後部風路ケース74との間に風路73を形成する。
【００２８】
風路ケース本体部81には、中心部に丸孔状の前部空気孔85が同軸状に穿設されている。この前部空気孔85は、通気孔67に対向している。
【００２９】
軸支収容部82は、正面視で上端部が鋭角状の略三角形状に設けられている。また、この軸支収容部82には、風路切換弁75の上端部が掃除機本体１の幅方向に沿って回動可能に軸支されている。
【００３０】
ダクト部83は、風路ケース本体部81の下側から、下方向に向けて幅方向の両側へと拡開するようにそれぞれ傾斜して設けられている。そして、これらダクト部83の先端部には、前方に向けてサブ風路ダクト86がそれぞれ突設されている。
【００３１】
これらサブ風路ダクト86は、略角筒状に設けられ、集塵カップ33をカップ保持部12に取り付けた状態で各サブ集塵室36のサブ連通孔51の排気側にそれぞれ連通接続される。そして、このサブ風路ダクト86は、風路73に連通している。
【００３２】
後部風路ケース74には、前部風路ケース72の風路ケース本体部81、軸支収容部82およびダクト部83に対応して本体閉塞部91、軸支閉塞部92およびダクト閉塞部93が設けられている。これら本体閉塞部91、軸支閉塞部92およびダクト閉塞部93は、それぞれ風路ケース本体部81、軸支収容部82およびダクト部83と略等しい外形を有し、前部風路ケース72の後部全体を閉塞している。また、本体閉塞部91の中心部には、この本体閉塞部91と同軸状に後部空気孔94が穿設されている。この後部空気孔94は、前部空気孔85と略等しい外径寸法を有し、この前部空気孔85と同軸状に位置しているとともに、風路73に連通している。
【００３３】
風路切換弁75は、円筒状の弁本体95を備え、この弁本体95の上部に、上方向に向けて幅狭となる軸支部96が突設され、かつこの弁本体95の側部に、舌片状のべろ部である閉塞板部97が突設されている。
【００３４】
弁本体95は、前部空気孔85および後部空気孔94と略等しい内径寸法を有している。また、この弁本体95は、前端部が前部風路ケース72の後部に気密に当接し、かつ後端部が後部風路ケース74の前部に気密に当接している。このため、弁本体95内は、風路73に対して区画されている。
【００３５】
軸支部96は、平面視で上端部が鋭角状の略三角形状に形成されている。この軸支部96は、前部風路ケース72の風路ケース本体部81よりも幅寸法が小さく設けられている。すなわち、この軸支部96は、前部風路ケース72の幅方向にクリアランスを有している。そして、この軸支部96の上端部には、モータ76の図示しない回転軸が圧入される軸支孔98が前後方向に沿って穿設されている。この軸支孔98は、前部風路ケース72および後部風路ケース74に対する風路切換弁75の回動の際の軸となるものである。
【００３６】
閉塞板部97は、弁本体95の前端部と略面一に設けられ、前部風路ケース72の後部に気密に当接する。この閉塞板部97は、正面視で略四角形状に設けられている。また、この閉塞板部97は、前部空気孔85よりも大きい面積を有し、前部空気孔85全体を閉塞可能となっている。
【００３７】
モータ76は、風路切換弁75を掃除機本体１の幅方向に沿って回動させるもので、後部風路ケース74の後部に設けられ、回動軸が後部風路ケース74の軸支閉塞部92に穿設された図示しない挿通孔に挿通され、かつ風路切換弁75の軸支孔98に圧入されている。
【００３８】
そして、連通筒部34、メイン集塵室35、後部連通孔42、通気孔67、前部空気孔85、弁本体95および後部空気孔94により、本体吸込口14から電動送風機７の吸込側に連通する主風路としてのメイン風路W1が形成される。
【００３９】
また、連通筒部34、メイン集塵室35、側部連通孔48、サブ集塵室36、サブ連通孔51、サブ風路ダクト86、風路73および後部空気孔94により、本体吸込口14から電動送風機７の吸込側に連通しメイン風路W1と異なる補助風路としてのサブ風路W2が形成される。
【００４０】
そして、風路切換手段71により、メイン風路W1とサブ風路W2とが選択的に切り換え可能となっている。
【００４１】
さらに、絞り弁45は、この風路切換手段71によるメイン風路W1とサブ風路W2との切り換えに連動して上下方向に回動する。
【００４２】
次に、上記一実施の形態の動作を説明する。
【００４３】
まず、集塵カップ33をカップ保持部12に取り付け、本体吸込口14にホース体15、延長管21および床ブラシ22を順次連通接続する。
【００４４】
この状態で、下ケース２の後方から電源コードを導出させて、この電源コードのプラグ部を、壁面などに設けられたコンセントに差し込む。
【００４５】
この後、作業者は、ホース体15の手元操作部16を把持しつつ、この手元操作部16の所定の設定ボタン17をオンして電動送風機７を駆動させ、床ブラシ22を床面上で前後に走行させて床面上の塵埃を吸い込んで掃除する。
【００４６】
通常の掃除の際には、図１に示すように、風路切換手段71によりメイン風路W1を選択する。
【００４７】
そして、床ブラシ22から塵埃とともに吸い込まれた空気は吸込風となり、延長管21、ホース体15および本体吸込口14を順次通過した後、連通筒部34に流入する。
【００４８】
この連通筒部34では、この連通筒部34の軸方向に沿って塵埃に直進方向の慣性力が与えられることで塵埃と吸込風とが分離され、この分離された塵埃がメイン集塵室35内に集塵される。
【００４９】
また、吸込風に含まれメイン集塵室35に分離されなかった細塵は、吸込風が後部連通孔42のメインフィルタ43およびプリーツフィルタ61を通過する際に捕集される。
【００５０】
この後、吸込風は、通気孔67、前部空気孔85、弁本体95および後部空気孔94を介して電動送風機７に流入して排気風となり、この電動送風機７から掃除機本体１の外部へと排気される。
【００５１】
一方、作業者が掃除を終了する操作、例えば所定の設定ボタン17を押して電動送風機７を停止させる際に、図２に示すように、モータ76で風路切換弁75を掃除機本体１の幅方向の一方へ回動させることで、風路切換手段71によりサブ風路W2に切り換える。
【００５２】
このとき、絞り弁45が風路切換手段71に連動して下方向に回動する。
【００５３】
この状態で、連通筒部34に流入した吸込風は、絞り弁45により流速が速められてメインフィルタ43に吹き付けられ、このメインフィルタ43に付着した塵埃をこのメインフィルタ43から吹き飛ばしてメイン集塵室35内に落とすとともに、メイン集塵室35内に収容された比較的軽い塵埃とともに側部連通孔48からサブ集塵室36へと流入する。
【００５４】
このため、メイン集塵室35内に収容された比較的軽い塵埃が吸込風によりサブ集塵室36へと移動して収容され、メイン風路W1側での吸込力が復帰する。
【００５５】
さらに、サブ集塵室36では、このサブ集塵室36内に吸い込まれた塵埃が吸込風により圧縮されるとともに、サブ連通孔51を通過する際にサブフィルタ52により捕集される。
【００５６】
そして、吸込風は、サブ風路ダクト86、風路73および後部空気孔94を介して電動送風機７に流入して排気風となり、この電動送風機７から掃除機本体１の外部へと排気される。
【００５７】
この後、メイン風路W1側の吸込力が復帰すると、モータ76で風路切換弁75を掃除機本体１の幅方向の他方へ回動させることで、風路切換手段71によりメイン風路W1に再度切り換えて電動送風機７を停止させ、掃除を終了する。
【００５８】
また、メイン集塵室35およびサブ集塵室36にそれぞれ所定量以上の塵埃が溜まっている場合には、集塵カップ33を掃除機本体１から取り外し、例えば図示しないごみ箱などの上でハンドル部37の操作ボタンを操作して下蓋部53を開け、メイン集塵室35およびサブ集塵室36内の各塵埃を同時にごみ箱内に落下させて廃棄した後、集塵カップ33を再度掃除機本体１に取り付けて使用する。
【００５９】
上述したように、上記一実施の形態では、メイン風路W1とサブ風路W2とのいずれか一方を、風路切換手段71により選択的に切り換える構成とした。
【００６０】
このため、通常の掃除の際には、メイン風路W1を選択してメイン集塵室35で集塵し、メイン集塵室35に塵埃が溜まった際には、風路切換手段71によりサブ風路W2に切り換えてメイン集塵室35に収容されて溜まった塵埃をサブ集塵室36に移動させることができる。
【００６１】
この結果、通常の掃除に使用するメイン集塵室35と、このメイン集塵室35に塵埃が溜まった際にのみこの塵埃を移動させて収容するサブ集塵室36とに役割を分担して、メイン集塵室35に溜まった塵埃の量を制御することで、電動送風機７の吸込仕事率に影響が大きいメイン風路W1側の圧力損失を改善して、電動送風機７による吸込力の低下を抑制でき、吸込仕事率を向上できるとともに所定の吸込性能を長期に亘って維持できる。
【００６２】
また、絞り弁45で本体吸込口14からの吸込風を絞ってメインフィルタ43に吹き付け、このメインフィルタ43で捕集した塵埃を吹き飛ばすことで、メインフィルタ43の目詰まりを容易かつ確実に抑制できる。
【００６３】
しかも、絞り弁45を回動させるだけの比較的簡単な構成であるため、製造性を向上できる。
【００６４】
さらに、風路切換手段71によるメイン風路W1とサブ風路W2との切り換えに絞り弁45の回動を連動させることにより、メイン集塵室35と電動送風機７の吸込側との連通を遮断した状態でメインフィルタ43に吸込風を吹き付けできる。このため、メインフィルタ43に捕集されている塵埃が電動送風機７の吸込力によりメインフィルタ43に吸い付くことを防止した状態で吸込風を吹き付けできるので、メインフィルタ43に付着した塵埃を、より確実に吸込風で吹き飛ばすことができる。
【００６５】
また、側部連通孔48を集塵室隔壁47の上側寄りの位置に設けることにより、メイン集塵室35で集塵された塵埃の中で比較的軽い塵埃のみを側部連通孔48からサブ集塵室36へと移動させることができる。この結果、サブ集塵室36に比較的重い塵埃が溜まることを防止し、メイン集塵室35で集塵された塵埃の一部を収容するサブ集塵室36の機能を損なうことを防止できる。
【００６６】
さらに、サブ集塵室36をメイン集塵室35の両側部に設け、下蓋部53によりメイン集塵室35とサブ集塵室36とを同時に開閉できるため、これらメイン集塵室35とサブ集塵室36とにそれぞれ収容された塵埃を一度に廃棄でき、使い勝手を向上できる。
【００６７】
そして、掃除終了時にメイン風路W1とサブ風路W2とを切り換えることにより、次回の掃除の際にメイン風路W1側の吸込力が復帰した状態で掃除を開始でき、使い勝手をより向上できる。
【００６８】
なお、上記一実施の形態において、風路切換手段71は、掃除開始時の所定時間の間にメイン風路W1とサブ風路W2とを切り換えてもよい。
【００６９】
あるいは、メイン風路W1とサブ風路W2とは、例えば図示しないセンサなどにより電動送風機７に流れる電流値、あるいは吸込圧力などを検知し、予め設定された所定の閾値より小さくなった際に自動的に切り換えたり、作業者が手動で切り換えたりなど、いずれのタイミングで切り換えてもよい。
【００７０】
また、絞り弁45は、風路切換手段71によるメイン風路W1とサブ風路W2との切り換えに連動させずに、掃除機本体１の外部から手動で操作する構成にすることも可能である。この場合には、内部構成をより簡略化でき、製造性を向上できるとともに、製造コストをも抑制できる。
【００７１】
さらに、電気掃除機は、キャニスタ型に限らず、アップライト型などにも対応させて使用できる。
【図面の簡単な説明】
【００７２】
【図１】本発明の一実施の形態の電気掃除機による主風路の連通状態を示す分解斜視図である。
【図２】同上電気掃除機による補助風路の連通状態を示す分解斜視図である。
【図３】同上電気掃除機の一部を拡大して示す斜視図である。
【図４】同上電気掃除機の一部を切り欠いて示す斜視図である。
【図５】同上電気掃除機を示す縦断面図である。
【図６】同上電気掃除機を示す斜視図である。
【符号の説明】
【００７３】
１    掃除機本体
７    電動送風機
14    本体吸込口
35    主集塵部としてのメイン集塵室
36    補助集塵部としてのサブ集塵室
43    フィルタとしてのメインフィルタ
45    風路絞り機構としての絞り弁
71    風路切換手段
W1    主風路としてのメイン風路
W2    補助風路としてのサブ風路
【図１】
2005131135.tif 000003
【図２】
2005131135.tif 000004
【図３】
2005131135.tif 000005
【図４】
2005131135.tif 000006
【図５】
2005131135.tif 000007
【図６】
2005131135.tif 000008